(57)【要約】      （修正有）【課題】作業者のベルトにホルダー本体を装着してブラケットに工具を携帯する工具携帯具において、操作性に優れた抜け止め機構を具備させる。【解決手段】工具携帯具は、背面にベルト装着部１１を設けたベース体１の表面に、表面側に開口したＵ状の収納部２１と内周縁に溝部２２を形成した蓋板体２を固着したホルダー本体と、携帯対象の工具を装着するブラケットＢとで構成され、抜け止め機構は、蓋板体２に設けた突出孔２３から収納空間に出没動作してブラケットＢの抜け止めをなす係止部を設けたストッパー体３１と、ストッパー体を突出方向に付勢する付勢部材３３と、一端を枢支して他端をホルダー本体外に突出する操作部、及び回動動作でストッパー体３１を出没動作させる操作体３２とで構成される。【選択図】図２
0003220372.tif 000002
【実用新案登録請求の範囲】
【請求項１】
背面にベルト装着部を設けたベース体の表面に、表面側に開口したＵ状の収納部と前記収納部の内周縁に溝部を形成した蓋板体を固着したホルダー本体と、収納部の開口形状内に納まる工具連結用の突出部、及び前記溝部内に嵌合する周縁鍔部を備えたブラケットから構成され、ホルダー本体に、蓋板体に設けた突出孔から収納部の収納空間に出没動作してブラケットの抜け止めをなす係止部を設けたストッパー体と、前記ストッパー体を突出方向に付勢する付勢部材と、一端を枢支して他端をホルダー本体外に突出させて操作部に形成すると共に、回動動作でストッパー体を出没動作させる操作体とからなるブラケット抜け止め機構を組み込んでなる工具携帯具。
【請求項２】
ストッパー体を、ベース本体に設けたガイドレールにストッパーを装着して、係止部が収納空間の側方から出没動作するようにしてなる請求項１記載の工具携帯具。
【請求項３】
操作体の下端をベース本体に枢結し、上方を係止部方向に屈曲してストッパー体と当接させ、操作体の回動操作でストッパー体の出没動作を行う請求項２記載の工具携帯具。
【考案の詳細な説明】
【技術分野】
【０００１】
本考案は、工具（主として巻尺）を携帯するのに便利な工具携帯具に関するものである。
【背景技術】
【０００２】
巻尺などを携帯するに際して、作業者のベルトに装着する工具携帯具が知られている。例えば特許文献１，２には、ベルトに装着したホルダーに工具側に設けたブラケットを着脱自在とする構造の工具携帯具が開示されている。
【０００３】
具体的には、ホルダー本体の裏面側にベルト装着部を設け、表面側にブラケットの上方から収納する収納空間（両側に溝を形成）を設けると共に、前記収納空間に突出する係止部を備えたブラケットの抜け止め機構を設けている。
【０００４】
特許文献１に開示されているブラケットの抜け止め機構は、収納空間に隣設した斜め下方の傾斜面にスライド自在に且つ収納空間方向に付勢されたスライダを設け、スライダに形成した係止部が、収納空間内に差込み収納されたブラケットの後端角部に当接してブラケットの抜け止めを実現し、スライダの強制的スライドによって係止部のブラケットとの接触を解除して、ブラケットを引き抜くようにしたものである。
【０００５】
また特許文献２に開示されているブラケットの抜け止め機構は、
コーナー部を枢結して収納空間に隣接して設けたＬ状アーム体の下辺に始動部を設け、側辺内側に係止部を設け、ブラケットの収納空間への差込みで始動部を下圧してアーム体を回動し、係止部が収納空間に突出して抜け止めを実現し、アーム体の操作でブラケットを押し上げると同時に係止部を後退して、ブラケットを引き抜くようにしたものである。
【先行技術文献】
【特許文献】
【０００６】
【特許文献１】特開２００３―１２７０７２号公報。
【特許文献２】登録実用新案３１６３３８１号公報。
【考案の概要】
【考案が解決しようとする課題】
【０００７】
特許文献１開示のホルダーにおいては、ストッパー機能を発揮する付勢されたスライダを直接操作する構造であるので、付勢力が弱いと不意にスットパー解除がなされる虞れがあり、付勢力を強めると解除操作が煩瑣となる。また特許文献２に開示されているようにブラケット（工具側）の着脱操作に際して、ブラケットでアーム体の下端を確りと押圧しないと抜け止め機能が発揮されないので、中途半端な状態でブラケットと装着される恐れがある。
【０００８】
そこで本考案は、付勢されたストッパーと操作アームを各別に構成することで、操作性の向上並びに装着操作性に優れた工具携帯具を提案したものである。
【課題を解決するための手段】
【０００９】
本考案に係る工具携帯具は、背面にベルト装着部を設けたベース体の表面に、表面側に開口したＵ状の収納部と前記収納部の内周縁に溝部を形成した蓋板体を固着したホルダー本体と、収納部開口形状内に納まる工具連結用の突出部、及び前記溝部内に嵌合する周縁鍔部を備えたブラケットから構成され、ホルダー本体に、蓋板体に設けた突出孔から収納空間に出没動作してブラケットの抜け止めをなす係止部を設けたストッパー体と、前記ストッパー体を突出方向に付勢する付勢部材と、一端を枢支して他端をホルダー本体外に突出させて操作部に形成すると共に、回動動作でストッパー体を出没動作させる操作体とからなるブラケット抜け止め機構を組み込んでなることを特徴とするものである。
【００１０】
而してブラケットに所望の工具（例えば巻尺）を装着し、当該工具（巻尺）の携帯具として使用するもので、ホルダー本体を作業者のベルトに装着し、ブラケットの周縁鍔部を溝部に挿入することで、収納部の表面側開口部分から突出部が突出して所定の工具（巻尺）を本携帯具に装着して携帯可能とするものである。
【００１１】
また前記の工具装着時にブラケットに対してストッパー体の係止部で係止することとで工具が携帯具から分離することが防止され、工具携帯時に工具が携帯時から外れてしまうという不測の事態が避けられ、操作部の操作で係止部の没入動作（係止解除）を行って、工具の分離が実現するもので、特に本考案は、操作体の回動動作でストッパー体の没入動作を行うので、ストッパー体を強い付勢力を印加することで係止力を高めたとしても、工具分離のための操作力を低減できる。
【考案の効果】
【００１２】
本考案の構成は上記のとおりで、ブラケット（工具側）のホルダー本体からの抜け止めを実現する抜け止め機構において、係止部の係止方向付勢力を高めても、良好な操作性を得る構造として、工具の抜け止め機能を向上させると共に、工具着脱のための操作性に優れた工具携帯具を提供できたものである。
【図面の簡単な説明】
【００１３】
【図１】本考案の実施形態を全体斜視図。
【図２】同分解斜視図。
【図３】同抜け止め機構の動作説明図で、（イ）は係止時（ロ）は係止解除時を示す。
【図４】同ストッパー体の斜視図。
【考案を実施するための形態】
【００１４】
次に本考案の実施形態について説明する。実施形態に示した工具装着具は、ホルダー本体ＡとブラケットＢで構成され、ホルダー本体Ａは、ベース体１と蓋板体２とで形成され、ベース本体１に抜け止め機構３を付設してなる。
【００１５】
ベース体１は、背面に係止舌辺を垂設し、若しくはベルト挿通孔等のベルト装着部１１を設けてなり、表面側に抜け止め機構３を組み込んだものである。
【００１６】
蓋板体２は、表面側に開口したＵ状の収納部２１と前記収納部２１の内周縁に溝部２２を形成し、収納部２１の空間に後述する抜け止め機構３のストッパー体３１の係止部３１１が突出する突出孔２３を、収納部２１の側面上部に形成してなる。
【００１７】
抜け止め機構３は、ストッパー体３１と操作体３２と、付勢部材（バネ体）３３で構成され、ホルダー本体Ａの表面側にストッパー体３１の出没動作方向を定めるガイドレール１２と、ガイドレール１２に隣接して付勢部材３３の収納溝１３と、後述する操作体３２の回動限界を定める制止受部１４を設けてなる。
【００１８】
ストッパー体３１は、前記突出孔２３と対応して蓋板体２をベース体１の表面に固着した際に収納部内に突出する係止部３１１と、前記ガイドレール１２に嵌合するガイド溝３１２と、付勢部材３３が納まる凹部３１３と、後述する操作体３２との当接面３１４を備えてなる。
【００１９】
操作体３２は、下端をベース体１の表面下方に枢結（枢結部３２１）し、上方をストッパー体３１の方向に屈曲して当該屈曲部３２２をストッパー体３１の当接面３１４と当接させ、先端をホルダー本体Ａ（ベース体１）の外方に突出させて操作部３２３を設けたものである。
【００２０】
前記の抜け止め機構３の各部材の組み込みは、ストッパー体３１のガイド溝３１２をガイドレール１２に跨らせると共に、凹部３１３の部分を収納溝１３内で収納し、収納溝１３内に納めた付勢部材３３の先端を前記凹部３１３内に納め、下端を枢結した操作体３２の操作部３２３をベース体１から外方に突出させて装着するものである。
【００２１】
また前記の操作体３２の装着に際しては、屈曲部３２２を当接面３１４と当接させ付勢部材３３の付勢力で操作体３２を制止受部１４に衝突することで、ストッパー体３１及び操作体３２を安定状態とするものである。
【００２２】
更に抜け止め機構３をベース本体に組み込んだ後に、ベース体１の表面全体を蓋板体２で覆うように蓋板体を固着するが、その際にストッパー体３１の係止部３１１が突出孔２３から蓋板体２側に突出させる。
【００２３】
ブラケットＢは、収納部２１にその上方から差し入れて装着可能としたもので、収納部２１の表面側の開口形状内に納まる突出部４と、収納部２１に差し入れる際に収納部２１の内周縁の溝部２２内に嵌合する周縁鍔部５を設けたものである。
【００２４】
而してブラケットＢの突出部４に巻尺のような工具を連結し、ホルダー本体Ａを作業者のベルトに装着し、当該ホルダー本体ＡにブラケットＢ（工具）の着脱で工具の携帯を可能としたものである。
【００２５】
工具の携帯は、ブラケットＢを収納部２１の上方から差し入れて、周縁鍔部５を溝部２２内に納める。その際に収納部２１に突出している係止部３１１を後退させ、ブラケットＢが係止部３１１より下方に位置すると係止部３１１が付勢部材３３の付勢力で復帰して、係止部３１１がブラケットＢの上部に突出して抜け止め機能を果たすことになり、携帯時に工具の離脱を防止する。
【００２６】
工具を使用する場合は、操作部３２３を下圧し回動操作すると。操作体３２でストッパー体３１を押し込む。ストッパー体３１はガイドレール１２に沿って移動し、同時に係止部３１１がブラケットＢの上方から後退するので、ブラケットＢ（工具）を収納部２１から引き出し、使用に供するものである。
【符号の説明】
【００２７】
Ａ      ホルダー本体
Ｂ      ブラケット
１      ベース体
１１    ベルト装着部
１２    ガイドレール
１３    収納溝
１４    制止受部
２      蓋板体
２１    収納部
２２    溝部
２３    突出孔
３      抜け止め機構
３１    ストッパー体
３１１    係止部
３１２    ガイド溝
３１３    凹部
３１４    当接面
３２    操作体
３２１    枢結部
３２２    屈曲部
３２３    操作部
３３    付勢部材（バネ体）
４      突出部
５      周縁鍔部
【図１】
0003220372.tif 000003
【図２】
0003220372.tif 000004
【図３】
0003220372.tif 000005
【図４】
0003220372.tif 000006